(57)【特許請求の範囲】
【請求項１】
ウェットティッシュのピロー包装体を収納する収納容器であって、
前記収納容器に、上面に位置する取出開口と、下面に位置する底部開口と、前記底部開口を塞ぐ底蓋とが含まれ、
前記収納容器内において上方に向け延び出す凸部が、前記底蓋の外周縁部の四隅に１箇所ずつ立設されていて、
前記凸部は、頂面と、前記頂面から下り勾配に延びる内周面とを有し、
前記収納容器に前記ピロー包装体が収納された状態において、前記ピロー包装体は、その側面が前記凸部の前記内周面に接触した状態で前記凸部に支持されていて、前記凸部の前記内周面に囲まれた領域内に前記ピロー包装体の一部が位置していることを特徴とする収納容器。
【請求項２】
前記底蓋の形状がほぼ矩形である請求項１に記載の収納容器。
【請求項３】
前記凸部の形状が、円柱状、角柱状、及び錐台状のいずれかである、請求項１又は２に記載の収納容器。
【請求項４】
前記収納容器の前記上面が、上に凸となる曲面部と、前記上面の中央に位置して前記上面から窪むとともに前記取出開口が形成された凹部とを備え、
前記凹部に形成された前記取出開口の周囲が平面状である、請求項１〜３のいずれかに記載の収納容器。
【発明の詳細な説明】
【技術分野】
【０００１】
本発明は、ウェットティッシュの収納容器に関する。
【背景技術】
【０００２】
従来、ウェットティッシュの収納容器は公知である。例えば特許文献１には、ウェットティッシュを取り出すための取出開口を有する容器本体と、取出開口を開閉自在な蓋体とを有し、蓋体若しくは容器本体に形成された環状突起と、容器本体若しくは蓋体に形成された環状樹脂とが互いに当接することにより、容器本体の取出開口を密閉するウェットティッシュ包装体の収納容器であって、環状突起が、環状樹脂の外方かつ上方のコーナー部分に当接するウェットティッシュの収納容器が開示されている。
【先行技術文献】
【特許文献】
【０００３】
【特許文献１】特開２０１０−１１５３８３号公報
【発明の概要】
【発明が解決しようとする課題】
【０００４】
特許文献１に開示されたウェットティッシュの収納容器では、環状突起が環状樹脂のコーナー部分に当接することにより、収納容器本体の密閉性が向上する。ところで、市場では様々な厚みのウェットティッシュのピロー包装体が流通している。例えば、アルコールを含浸させたウェットティッシュの場合、乾燥を防ぐためにピロー包装体に入れるウェットティッシュの枚数を少なくすることが多いので、ピロー包装体の厚みは比較的小さい。一方、水を含浸させたウェットティッシュの場合、ピロー包装体に入れるウェットティッシュの枚数はアルコール含浸の場合より多く、ピロー包装体の厚みは比較的大きい。このため、厚みの大きなウェットティッシュのピロー包装体を収納可能な高さを有する収納容器に、厚みの小さなウェットティッシュのピロー包装体を入れた場合、収納容器の取出開口と、ウェットティッシュのピロー包装体との間に、大きな隙間が生じてしまい、ウェットティッシュを取り出しにくくなることがある。
【０００５】
本発明は、収納容器の高さよりも厚みが小さいウェットティッシュのピロー包装体を収納したときでも、収納容器の取出開口とウェットティッシュのピロー包装体との間に大きな隙間が生じることがなく、ウェットティッシュを容易に取り出すことができるウェットティッシュの収納容器を提供することを課題とする。
【課題を解決するための手段】
【０００６】
本発明は、ウェットティッシュのピロー包装体を収納する収納容器に関する。
【０００７】
本発明の収納容器は、収納容器に、上面に位置する取出開口と、下面に位置する底部開口と、底部開口を塞ぐ底蓋とが含まれ、収納容器内において上方に向け延び出す凸部が、底蓋の外周縁部の四隅に１箇所ずつ立設されていて、凸部は、頂面と、頂面から下り勾配に延びる内周面とを有し、収納容器にピロー包装体が収納された状態において、ピロー包装体は、その側面が凸部の内周面に接触した状態で凸部に支持されていて、凸部の内周面に囲まれた領域内にピロー包装体の一部が位置していることを特徴とする。
【発明の効果】
【０００８】
本発明では、収納容器の底蓋から上方に延びる凸部がウェットティッシュのピロー包装体に接触するので、収納容器の高さよりも厚みが小さいピロー包装体を収納したときでも、収納容器の取出開口とピロー包装体との間に大きな隙間が生じることが防止される。
【図面の簡単な説明】
【０００９】
図面は、本発明の特定の実施の形態を示し、発明の不可欠な構成ばかりでなく、選択的及び好ましい実施の形態を含む。
【図１】本発明のウェットティッシュの収納容器の斜視図。
【図２】底蓋の斜視図。
【図３】図１のＡ−Ａ線断面図であり、厚みが大きいピロー包装体の収納状態を表す図。
【図４】厚みが大きいピロー包装体の収納状態における、図１のＡ−Ａ線に沿う断面図。
【図５】（ａ）厚みが小さく、かつ、開孔の周縁部に粘着剤が塗布されたピロー包装体の収納状態における、図１のＡ−Ａ線に沿う断面図。（ｂ）厚みが小さく、かつ、開孔の周縁部に粘着剤が塗布されてないピロー包装体の収納状態における、図１のＡ−Ａ線に沿う断面図。
【図６】（ａ）厚みが小さく、かつ、開孔の周縁部に粘着剤が塗布されたピロー包装体の収納状態における、図１のＢ−Ｂ線に沿う断面図。（ｂ）厚みが小さく、かつ、開孔の周縁部に粘着剤が塗布されてないピロー包装体の収納状態における、図１のＢ−Ｂ線に沿う断面図。
【図７】ピロー包装体の斜視図。
【図８】（ａ）変形例の一例における、底蓋の斜視図。（ｂ）他の変形例の一例における、底蓋の斜視図。
【図９】プッシュロック・オープン機構の動作の説明図。
【発明を実施するための形態】
【００１０】
下記の実施の形態は添付の図面に示すウェットティッシュの収納容器に関し、発明の不可欠な構成ばかりではなく、選択的及び好ましい構成を含む。以下、添付の図面を参照して、本発明の収納容器について説明する。
【００１１】
図１及び図３，５に示すように、収納容器１は、筐体１５と、上蓋１２と、底蓋１６とを備え、上蓋１２はヒンジ部１４を介して筐体１５に対し旋回動可能に連結されている。筐体１５は、上面１１に位置する取出開口１３と、下面１９に位置する底部開口１８とを備え、上面１１が上に凸となる略直方体の形状を有する。取出開口１３は上蓋１２により開閉可能に覆われ、底部開口１８は底蓋１６で塞がれる。ウェットティッシュ２のピロー包装体５は筐体１５と底蓋１６とで形成される収納空間内に収納され、ウェットティッシュ２は取出開口１３から取り出される。
【００１２】
上蓋１２において取出開口１３を挟んでヒンジ部１４と対向する上蓋１２の先端領域１２ａには、上蓋１２を押すことで上蓋１２を筐体１５に対し係合離脱可能なプッシュロック・オープン機構３１が配置されている。筐体１５と上蓋１２との間のヒンジ部１４近傍には、上蓋１２を開く方向に付勢する弾性部材２２が配置されている。また、筐体１５の上面１１は、上に凸となる曲面部１１ａと、上面１１の中央部に位置して上面１１から窪む凹部１１ｂとを備えている。凹部１１ｂの底部は平坦面１１ｃとなっており、取出開口１３は、この平坦面１１ｃに形成されている。すなわち、取出開口１３の周囲は平坦になっている。本実施形態では、取出開口１３に環状のパッキング２６を備える平坦なシール部材２７が取り付けられている。但し、本発明ではシール部材２７は必須ではなく、省略することもできる。
【００１３】
図２〜６を参照して、底蓋１６は、筐体１５の底部開口１８を塞ぐことが可能な形状を有する略矩形の平板状の部材である。底蓋１６の外周縁部１７には、筐体１５の下面１９の全面に形成された底部開口１８に底蓋１６を嵌合させるための外周縁嵌合部２３が配置されている。底蓋１６の外周縁部１７にはさらに、収納容器１内において上方に延び出す凸部２１が少なくとも２箇所立設されている。本実施形態では、略矩形の底蓋１６の外周縁部１７の四隅のそれぞれに凸部２１が１箇所ずつ立設されている。底蓋１６の外周縁嵌合部２３には、筐体１５の底部開口１８を形成する筐体１５の側壁面１５ａの下端部１５ｂが嵌入する嵌入溝２４と、底蓋１６の平面視において嵌入溝２４の内側に隣接して収納容器１内において上方に隆起する嵌合突起２５とが含まれる。図示例では、嵌入溝２４は底蓋１６の外周縁に沿って連続的に配置されているが、嵌入溝２４を底蓋１６の外周縁に沿って断続的に配置することもできる。
【００１４】
筐体１５の底部開口１８に底蓋１６を嵌合させたとき、嵌合突起２５が筐体１５の側壁面１５ａに接触する。凸部２１は、筐体１５の側壁面１５ａに接触してもよいし、接触しなくてもよい。本実施形態では、底蓋１６の外周縁部１７に配置された凸部２１が嵌合突起２５に連接しているが、凸部２１と嵌合突起２５とを分離して配置することもできる。いずれの場合でも、収納容器１の側面視において、凸部２１の高さの方が、嵌合突起２５の高さよりも高い。凸部２１の高さは、収納容器１に収納するピロー包装体５の厚みに応じて適宜決めることができる。凸部２１の高さは、典型的には底蓋１６と筐体１５の平坦面１１ｃとの間の距離の１０％〜７０％の範囲内である。また、凸部２１は少なくともピロー包装体５の側面５５に接触し、好ましくはピロー包装体５の側面５５及び底面５６に接触する。
【００１５】
図３〜６に示すように、収納容器１にピロー包装体５を収納したとき、凸部２１がピロー包装体５に接触する。ウェットティッシュ２のピロー包装体５は、ウェットティッシュ２の集積体をガス透過性が低いプラスチックフィルムで包装することにより製造される。図７に示すように、典型的なウェットティッシュ２のピロー包装体５は、ピロー包装体５の長手方向両端に位置する一対のエンドシール部５１と、ウェットティッシュ２を取り出すための開孔５２と、開孔５２を塞ぐための密封フィルム５３と、密封フィルム５３を止着するために開孔５２の外周に塗布された粘着剤５４と、開孔５２が設けられた面に対向する底面５６とを備える。ピロー包装体５を収納容器１に入れるときは、まず密封フィルム５３を剥がして粘着剤５４を露出させる。次に、露出させた粘着剤５４により、ピロー包装体５の開孔５２の周囲を収納容器１の取出開口１３の周囲の平坦面１１ｃに密着させる。これにより、ピロー包装体５の開孔５２と収納容器１の取出開口１３とが連通される。なお、粘着剤５４を備えないウェットティッシュ２のピロー包装体５も市場で流通しているが、後述するように、本発明の収納容器１は、粘着剤５４を備えないウェットティッシュ２のピロー包装体５の収納にも用いることができる。
【００１６】
図３と図４を参照して、収納容器１に、厚みが底蓋１６と筐体１５の平坦面１１ｃとの離間距離にほぼ等しいピロー包装体５（すなわち、厚みが大きいピロー包装体５）を収納したとき、ピロー包装体５の開孔５２が設けられた面は、収納容器１の取出開口１３の周囲の平坦面１１ｃに密着する。これにより、ウェットティッシュ２の乾燥が防止される。また、収納容器１の取出開口１３とピロー包装体５との間に隙間が生じることはなく、ウェットティッシュ２を容易に取り出すことができる。また、底蓋１６の四隅に配置された凸部２１がピロー包装体５の側面５５及び底面５６に接触し、ピロー包装体５の四隅を収納容器１の上方に押し上げる。ここで、本実施形態の収納容器１の筐体１５は、側壁面１５ａと、上面１１とを備え、上面１１は上に凸となる曲面部１１ａと、上面１１の中央部に位置して上面１１から窪む凹部１１ｂとを備えており、凹部１１ｂと、曲面部１１ａと、側壁面１５ａとで囲まれる空間Ｓを有する。収納容器１の上方に押し上げられたピロー包装体５の四隅は、筐体１５の上面１１に接触することなくこの空間Ｓ内に位置することができる。これにより、ピロー包装体５が底蓋１６の四隅に配置された凸部２１を下方に押し返すことが防止される。すなわち、収納容器１に厚みが大きいピロー包装体５を収納したときでも、ピロー包装体５が底蓋１６の凸部２１を押し返して底蓋１６が意に反して開いてしまうことを防止できる。また、ピロー包装体５の四隅が筐体１５の上面１１に接触する場合であっても、ピロー包装体５が底蓋１６の凸部２１を押し返す力が底蓋１６を解放するために必要な力より弱くなるようにすれば、ピロー包装体５が底蓋１６の凸部２１を押し返して底蓋１６が意に反して開いてしまうことを防止できる。
【００１７】
図５（ａ）及び図６（ａ）は、収納容器１に、厚みが底蓋１６と筐体１５の平坦面１１ｃとの離間距離より小さく、開孔５２の周縁に粘着剤５４が塗布されたピロー包装体５（すなわち、厚みが小さいピロー包装体５）を収納したときの状態を表す図である。前述のように、ピロー包装体５の開孔５２が設けられた面を、粘着剤５４により収納容器１の取出開口１３の周囲の平坦面１１ｃに密着させることにより、ウェットティッシュ２の乾燥が防止される。また、底蓋１６に立設された凸部２１がピロー包装体５の側面５５及び底面５６に接触してピロー包装体５を支持する。すなわち、凸部２１によりピロー包装体５が自重で垂れ下がることが防止される。これにより、ピロー包装体５と収納容器１の取出開口１３との密着状態が維持されるので、収納容器１の取出開口１３とピロー包装体５との間に隙間が生じることが防止され、ウェットティッシュ２を容易に取り出すことができる。
【００１８】
図５（ｂ）及び図６（ｂ）は、収納容器１に、厚みが底蓋１６と筐体１５の平坦面１１ｃとの離間距離より小さく、開孔５２の周縁に粘着剤５４が塗布されていないピロー包装体５を収納したときの状態を表す図である。この場合、ピロー包装体５の厚みが小さいこと、及び、ピロー包装体５の開孔５２の周縁に粘着剤５４が塗布されていないことにより、ピロー包装体５は収納容器１の取出開口１３の周囲の平坦面１１ｃに密着しない。しかし、底蓋１６に立設された凸部２１がピロー包装体５の側面５５及び底面５６に接触することにより、ピロー包装体５が底蓋１６から上方に離間した位置に支持されるとともに、ピロー包装体５が自重で垂れ下がることが防止される。これにより、ピロー包装体５と筐体１５の平坦面１１ｃとの間の隙間を小さく維持することが可能になる。したがって、厚みが小さいピロー包装体５を入れた場合でも、ウェットティッシュ２を容易に取り出すことができる。なお、ピロー包装体５と筐体１５の平坦面１１ｃとの間の隙間が５ｍｍ以下、好ましくは３ｍｍ以下であれば、ウェットティッシュ２を取出開口１３から容易に取り出すことができる。
【００１９】
図５（ａ），（ｂ）及び図６（ａ），（ｂ）に示した例では、厚みの小さいピロー包装体５の側面５５及び底面５６が底蓋１６に立設された凸部２１に接触している。しかし、厚みの小さいピロー包装体５と凸部２１との接触の態様はこれに限定されず、例えばピロー包装体５の長手方向両端に位置する側面５５のみを凸部２１に接触させて、ピロー包装体５が自重で垂れ下がることを防止していてもよい。また、ピロー包装体５の長手方向両端に位置するエンドシール部５１のみを凸部２１の頂面２１ａに接触させて、ピロー包装体５が自重で垂れ下がることを防止することもできる。
【００２０】
図示例の底蓋１６はほぼ矩形であるが、底蓋１６の形状は矩形に限定されず、例えば円形、楕円形、多角形等の任意の形状にすることもできる。底蓋１６の形状を矩形にした場合、凸部２１を底蓋１６の外周縁部１７の各短辺に少なくとも１箇所立設することもできる（図８ａ参照）。凸部２１を底蓋１６の外周縁部１７の各短辺に立設する構造は、ピロー包装体５の長手方向両端に位置する側面５５のみ、またはエンドシール部５１のみを凸部２１で支持する場合に適している。しかし、外周縁部１７の短辺及び長辺のそれぞれに少なくとも１箇所立設することもできる。また、凸部２１の形状を階段状にして（図８ｂ参照）厚みが異なる数種類のピロー包装体５を支持可能にすることにより、ピロー包装体５が自重で垂れ下がることを防止して、収納容器１の取出開口１３とピロー包装体５との間に大きな隙間が生じることを防止することもできる。
【００２１】
図示例の凸部２１は頂面２１ａが平面の三角錐台状の形状であり、頂面２１ａは平面となっている。しかし、凸部２１の形状はこれに限定されず、円柱状、角柱状、及び四角錐台状などの、任意の形状にすることができる。また、頂面２１ａを曲面または斜面にすることもできる。さらに、凸部２１の形状を階段状の円柱状、角柱状、及び錐台状にすることもできる。また、凸部２１を底蓋１６の外周縁部１７に配置する構成に代えて、底蓋１６の外周縁部１７から離間した位置に配置することもできる。
【００２２】
次に、図６（ａ），（ｂ）を参照して、本実施形態で用いているプッシュロック・オープン機構３１について説明する。但し、本発明ではプッシュロック・オープン機構３１は必須ではなく、本発明が属する技術分野で公知の上蓋１２を開閉するための機構を任意に用いることができ、例えば前記特許文献１に記載された掛止片と掛止溝とで構成される開閉機構を用いることもできる。
【００２３】
プッシュロック・オープン機構３１には、係止突起３４を備える係止具３３と、係止具３３の係止突起３４に対し係合及び離脱可能なロック具３２とが含まれる。図５（ａ），（ｂ）に示すように、本実施形態では、係止具３３は、ヒンジ軸に直交する方向においてヒンジ部１４に対向する上蓋１２の先端領域１２ａの裏側に立設されている。また、ロック具３２は筐体１５に配置されており、上蓋１２を閉じたとき、係止具３３の係止突起３４がロック具３２に進入する。ロック具３２は平板状の部材であり、筐体１５においてヒンジ部１４に離間対向する位置に形成されたロック具収容室３５内に、ヒンジ軸に平行な方向に摺動可能に収納されている。ロック具収容室３５は、上蓋１２に立設された係止具３３の係止突起３４が進入可能な透孔３６を備える。
【００２４】
図９（ａ）〜（ｆ）を参照して、ロック具３２の表面には、係止突起３４が進入及び退出可能な出入口部４１と、係止突起３４が係合可能な係合部４２と、係止突起３４を出入口部４１から係合部４２まで案内する進入溝４３と、係止突起３４を係合部４２から出入口部４１まで案内する退出溝４４が形成されている。進入溝４３と退出溝４４はいずれも、係止突起３４を案内する方向が反転する方向反転部４５ａ，４５ｂを有する。ロック具３２において、係合部４２は出入口部４１と方向反転部４５ａ，４５ｂとの間に位置する。また、ロック具３２に形成された出入口部４１は、ロック具収容室３５の透孔３６に連通する。
【００２５】
進入溝４３の深さは出入口部４１から方向反転部４５ａに向かうに従い浅くなり、方向反転部４５ａを過ぎた後急に深くなる。係合部４２は、進入溝４３よりもさらに深く形成されている。また、係合部４２と退出溝４４との境界では、退出溝４４の方が深くなっている。退出溝４４の深さは係合部４２から方向反転部４５ｂを経て出入口部４１に向かうに従い次第に浅くなる。出入口部４１では、進入溝４３の深さの方が、退出溝４４よりも深くなっている。前述のように上蓋１２は開方向に付勢されているので、進入溝４３に進入した係止突起３４は出入口部４１に向け付勢されている。したがって、上蓋１２を押して閉じる際、上蓋１２に形成された係止突起３４をロック具３２の進入溝４３の方向反転部４５ａまで進入させれば、出入口部４１に向け付勢されている係止突起３４が係合部４２に落ち込んで静止する。これにより上蓋１２が閉止される。閉止された上蓋１２を再度押すと、係止突起３４は係合部４２から脱離し、方向反転部４５ｂを経て出入口部４１に至り、さらにロック具収容室３５の透孔３６を通過することにより、上蓋１２が開放される。
【００２６】
以上、本発明について実施形態に基づき説明したが、本発明はこれらに限定されず、種々変更して実施することができる。例えば図示例の収納容器１の外観形状は丸みを帯びた直方体であるが、球体または楕円体等の任意の形状を選択することができる。本発明の収納容器１を製造するための材料は特に限定されず、熱可塑性樹脂、金属、熱可塑性エラストマー等の公知の材料から適宜選択することができる。
【符号の説明】
【００２７】
１      収納容器
２      ウェットティッシュ
５      ピロー包装体
１１    上面
１１ａ  曲面部
１１ｂ  凹部
１１ｃ  平坦面
１２    上蓋
１３    取出開口
１５    筐体
１６    底蓋
１７    底蓋の外周縁部
１８    底部開口
１９    下面
２１    凸部
２１ａ  凸部の頂面
【図１】
0006510887.tif 000002
【図２】
0006510887.tif 000003
【図３】
0006510887.tif 000004
【図４】
0006510887.tif 000005
【図５】
0006510887.tif 000006
【図６】
0006510887.tif 000007
【図７】
0006510887.tif 000008
【図８】
0006510887.tif 000009
【図９】
0006510887.tif 000010